【手続補正書】
【提出日】平成30年6月11日(2018.6.11)
【手続補正１】
【補正対象書類名】特許請求の範囲
【補正対象項目名】全文
【補正方法】変更
【補正の内容】
【特許請求の範囲】
【請求項１】
複数の入力チャネルおよび出力チャネルと複数の汎用Ｉ／Ｏポートとを備える３次元ジェスチャ検出コントローラであって、前記３次元ジェスチャコントローラは、前記出力チャネルと結合される少なくとも１つの伝送電極を通して交流電気近接場を生成し、前記入力チャネルのうちのいくつかは、３次元受信電極と結合される、３次元ジェスチャ検出コントローラと、
複数のタッチ電極と
を備え、受信マルチプレクサが前記入力チャネルのうちの１つを前記複数のタッチ電極と結合し、前記受信マルチプレクサは、所与の期間に、前記３次元受信電極からのより多くの信号が、前記タッチ電極からの信号よりも多くスキャンされるように、時分割多重アクセス方式を用いた時間多重化によって制御される、システム。
【請求項２】
前記受信マルチプレクサは、全ての受信マルチプレクサの入力が短絡されるモードを提供するように構成されている、請求項１に記載のシステム。
【請求項３】
前記受信マルチプレクサは、全ての受信マルチプレクサの入力のうちの事前定義されたサブセットが短絡されるモードを提供するように構成されている、請求項１に記載のシステム。
【請求項４】
各入力チャネルは、関連付けられたアナログ・デジタル変換器を有し、各アナログ・デジタル変換器のサンプリングレートは、前記タッチ電極に割り当てるよりも多くのサンプリング周期を前記３次元受信電極に割り当てるように調節される、請求項１に記載のシステム。
【請求項５】
前記ジェスチャ検出コントローラは、単一のアナログ・デジタル変換器と、前記アナログ・デジタル変換器および各入力チャネルと結合された内部マルチプレクサとを備え、前記内部マルチプレクサは、前記タッチ電極に割り当てるよりも多くのサンプリング周期を前記３次元受信電極に割り当てるように制御される、請求項１に記載のシステム。
【請求項６】
前記ジェスチャ検出コントローラは、５つの入力チャネルを備え、４つの入力チャネルは、４つの受信電極に接続され、第５の入力チャネルは、前記受信マルチプレクサの出力と結合される、請求項４に記載のシステム。
【請求項７】
前記システムは、１つまたは複数の離散アナログマルチプレクサと、１つまたは複数の離散デジタルマルチプレクサとを備え、それぞれ前記ジェスチャ検出コントローラと結合され、前記汎用Ｉ／Ｏポートによって制御される、請求項１に記載のシステム。
【請求項８】
複数の伝送電極をさらに備え、前記コントローラは、前記デジタルマルチプレクサの入力と結合される１つの出力チャネルを備え、前記伝送電極は、前記デジタルマルチプレクサの出力と結合され、前記タッチ電極は、前記アナログマルチプレクサの入力と結合される、請求項７に記載のシステム。
【請求項９】
前記タッチ電極は、１つまたは複数のタッチボタン電極を備える、請求項１に記載のシステム。
【請求項１０】
前記タッチ電極は、スライダ電極を形成するように配列される１つまたは複数のタッチセグメント電極を備える、請求項１に記載のシステム。
【請求項１１】
前記受信電極および前記タッチ電極は、直線に沿って配列される、請求項１に記載のシステム。
【請求項１２】
前記受信電極および前記タッチ電極は、タッチ検出電極グリッドの電極セグメントによって形成される、請求項１に記載のシステム。
【請求項１３】
前記タッチ電極は、タッチ検出電極グリッドの電極セグメントによって形成され、前記受信電極は、前記タッチ検出電極グリッドのフレームを形成するように配列される、請求項１に記載のシステム。
【請求項１４】
前記タッチ電極グリッドは、単層内に配列される電極セグメントを備える、請求項１３に記載のシステム。
【請求項１５】
前記タッチ電極グリッドは、単層内に配列される電極セグメントを備える、請求項１３に記載のシステム。
【請求項１６】
タッチ電極は、伝送電極の上方に配列される、請求項１に記載のシステム。
【請求項１７】
タッチ電極は、関連伝送電極と同一の層内に配列され、前記関連伝送電極に隣接する、請求項１に記載のシステム。
【請求項１８】
前記伝送電極は、メッシュ状電極であり、タッチ電極は、前記メッシュ状伝送電極の下に配列される、請求項１に記載のシステム。
【請求項１９】
前記伝送電極は、メッシュ状電極であり、前記受信電極は、前記メッシュ状伝送電極と同一の層内に配列される、請求項１８に記載のシステム。
【請求項２０】
前記受信電極の下に配列される付加的伝送電極をさらに備える、請求項１９に記載のシステム。
【請求項２１】
タッチ電極は、関連伝送電極と同一の層内に配列される第１のセグメントと、前記伝送電極の下に配列される第２のセグメントとを備える、請求項１に記載のシステム。
【手続補正２】
【補正対象書類名】明細書
【補正対象項目名】０００９
【補正方法】変更
【補正の内容】
【０００９】
さらなる実施形態によると、多重化は、時分割多重アクセス方式を用いた時間多重化であり得る。さらなる実施形態によると、ＴＤＭＡモードは、スケジュールされた制御型、イベントベースの制御型、またはキャリア感知ＴＤＭＡを備える、異なるサブモードを備えてもよい。さらなる実施形態によると、タッチ電極は、スライダ電極を形成するように配列される、１つまたはそれを上回るタッチセグメント電極を備えてもよい。さらなる実施形態によると、受信電極およびタッチ電極は、直線に沿って配列されることができる。
本発明は、例えば、以下を提供する。
（項目１）
複数の入力チャネルおよび出力チャネルを伴う３次元（３Ｄ）ジェスチャ検出デバイスを備える、システムであって、前記３Ｄジェスチャデバイスは、前記出力チャネルと結合される少なくとも１つの伝送電極を通して生成される、交流電気近接場を使用し、前記入力チャネルのうちのいくつかは、前記３Ｄジェスチャ検出デバイスの受信電極と結合され、前記システムはさらに、複数のタッチ電極を備え、前記入力チャネルのうちの少なくとも１つは、多重化を通して前記複数のタッチ電極のうちの少なくとも１つに結合される、システム。
（項目２）
多重化は、時分割多重アクセス方式を用いた時間多重化である、項目１に記載のシステム。
（項目３）
ＴＤＭＡモードは、計画的制御型、イベントベースの制御型、またはキャリア感知ＴＤＭＡを備える、異なるサブモードを備える、項目２に記載のシステム。
（項目４）
前記ジェスチャ検出デバイスは、前記タッチ電極と結合され、前記多重化を行うように制御される、１つまたはそれを上回る受信マルチプレクサを備える、コントローラを備える、項目１に記載のシステム。
（項目５）
前記ジェスチャ検出デバイスは、汎用入出力ピンを有するコントローラを備え、前記システムはさらに、前記タッチ電極と結合され、前記タッチ電極のうちの１つを前記入力チャネルのうちの１つと結合するように前記ジェスチャ検出システムの前記汎用Ｉ／Ｏピンを通して制御される、１つまたはそれを上回る受信マルチプレクサを備える、項目１に記載のシステム。
（項目６）
前記ジェスチャ検出デバイスは、５つの入力チャネルを備え、４つの入力チャネルは、４つの受信電極に接続され、第５の入力チャネルは、前記受信マルチプレクサの出力と結合される、項目５に記載のシステム。
（項目７）
前記受信マルチプレクサ入力のうちの１つと結合される第５の受信電極を備える、項目６に記載のシステム。
（項目８）
前記ジェスチャ検出デバイスは、汎用入出力ピン（ＧＰＩＯ）を有するコントローラを備え、前記システムは、ＧＰＩＯによって制御される、それぞれ前記ジェスチャ検出デバイスと結合される、１つまたはそれを上回る離散アナログマルチプレクサと、１つまたはそれを上回る離散デジタルマルチプレクサとを備える、項目１に記載のシステム。
（項目９）
複数の伝送電極をさらに備え、前記コントローラは、前記デジタルマルチプレクサの入力と結合される、１つの出力チャネルを備え、前記伝送電極は、前記デジタルマルチプレクサの出力と結合され、前記タッチ電極は、前記アナログマルチプレクサの入力と結合される、項目８に記載のシステム。
（項目１０）
前記タッチ電極は、１つまたはそれを上回るタッチボタン電極を備える、項目１に記載のシステム。
（項目１１）
前記タッチ電極は、スライダ電極を形成するように配列される、１つまたはそれを上回るタッチセグメント電極を備える、項目１に記載のシステム。
（項目１２）
前記受信電極および前記タッチ電極は、直線に沿って配列される、項目１に記載のシステム。
（項目１３）
前記受信電極および前記タッチ電極は、タッチ検出電極グリッドの電極セグメントによって形成される、項目１に記載のシステム。
（項目１４）
前記タッチ電極は、タッチ検出電極グリッドの電極セグメントによって形成され、前記受信電極は、前記タッチ検出電極グリッドの周囲に配列される、項目１に記載のシステム。
（項目１５）
前記タッチ電極グリッドは、単層内に配列される電極セグメントを備える、項目１４に記載のシステム。
（項目１６）
前記タッチ電極グリッドは、単層内に配列される電極セグメントを備える、項目１４に記載のシステム。
（項目１７）
タッチ電極は、伝送電極の上方に配列される、項目１に記載のシステム。
（項目１８）
タッチ電極は、関連伝送電極と同一の層内に配列され、前記関連伝送電極に隣接する、項目１に記載のシステム。
（項目１９）
タッチ電極は、伝送電極の下に配列される、項目１に記載のシステム。
（項目２０）
前記伝送電極は、メッシュ状電極である、項目１９に記載のシステム。
（項目２１）
前記受信電極は、前記メッシュ状伝送電極と同一の層内に配列される、項目２０に記載のシステム。
（項目２２）
前記受信電極の下に配列される付加的伝送電極をさらに備える、項目２１に記載のシステム。
（項目２３）
タッチ電極は、関連伝送電極と同一の層内に配列される第１のセグメントと、前記伝送電極の下に配列される第２のセグメントとを備える、項目１に記載のシステム。
（項目２４）
複数の入力チャネルおよび出力チャネルを伴う３次元（３Ｄ）ジェスチャ検出デバイスを備える、システムであって、前記３Ｄジェスチャデバイスは、前記出力チャネルと結合される少なくとも１つの伝送電極を通して生成される、交流電気近接場を使用し、前記入力チャネルのうちのいくつかは、前記３Ｄジェスチャ検出デバイスの受信電極と結合され、前記システムはさらに、入力チャネルと結合される受信タッチ電極と関連付けられる、複数の伝送タッチ電極を備え、前記出力チャネルは、多重化を通して前記複数の伝送タッチ電極のうちの少なくとも１つと結合される、システム。
（項目２５）
前記ジェスチャ検出デバイスは、汎用入出力ピン（ＧＰＩＯ）を有するコントローラを備え、前記システムはさらに、前記ＧＰＩＯによって制御される、前記ジェスチャ検出デバイスと結合される１つまたはそれを上回る離散伝送マルチプレクサを備える、項目２４に記載のシステム。
（項目２６）
前記伝送マルチプレクサは、デジタルマルチプレクサである、項目２５に記載のシステム。
（項目２７）
前記ジェスチャ検出デバイスは、１つまたはそれを上回る内部伝送マルチプレクサを備える、項目２４に記載のシステム。
（項目２８）
交流電気近接場を使用し、少なくとも１つの伝送電極と、複数の入力チャネルとを備える、３次元（３Ｄ）ジェスチャ検出デバイスを操作するための方法であって、
前記入力チャネルのうちのいくつかを前記３Ｄジェスチャ検出デバイスの受信電極と結合するステップと、
マルチプレクサを使用して複数のタッチ電極を多重化するステップであって、前記マルチプレクサは、少なくとも１つの選択されたタッチ電極を前記複数の入力チャネルのうちの残りの１つと結合するように制御される、ステップと、
を含む、方法。
（項目２９）
多重化は、時分割多重アクセス方式を用いた時間多重化である、項目２８に記載の方法。
（項目３０）
ＴＤＭＡモードは、計画的制御型、イベントベースの制御型、またはキャリア感知ＴＤＭＡを備える、異なるサブモードを備える、項目２９に記載の方法。
（項目３１）
前記タッチ電極は、スライダ電極を形成するように配列される、１つまたはそれを上回るタッチセグメント電極を備える、項目２８に記載のシステム。
（項目３２）
前記受信電極および前記タッチ電極は、直線に沿って配列される、項目２８に記載の方法。